(57)【特許請求の範囲】
【請求項１】
一枚のブランクシートの箱体形成片から成り、前記箱体形成片には、互いに平行に連接され筒体に組み立てられる側面と、前記側面の一つに折罫線を介して連接され前記折罫線で曲げられて前記側面の筒体の開口部を閉鎖する蓋片と、前記蓋片の前記折罫線に交差する側縁部に折り曲げ線を介して連接された係止片と、前記係止片の先端部に一体に形成されたロック片と、前記蓋片が設けられている前記側面に隣接し前記係止片の近傍に位置する前記側面に形成された被差込部が設けられ、
前記ロック片は、逃げ部と当接部が形成された突起であり、前記被差込部は前記係止片の回転方向に交差する切断線で設けられ、前記切断線の一部には所定の角度で傾斜部が設けられ、
前記箱体形成片の組立状態で前記蓋片が前記折罫線で折り曲げられて、前記筒体の開口部が閉鎖されるとき、前記係止片は前記折り曲げ線で折り曲げられて前記被差込部が設けられた前記側面に対して平行となり、前記折罫線に対して交差し、前記蓋片が前記折罫線で折り曲げられるにつれて、前記係止片は前記折罫線を中心軸として回転し、前記係止片の先端部は前記ロック片とともに前記被差込部に差し込まれ、
前記係止片が前記ロック片とともに前記被差込部に差し込まれるとき、前記ロック片の前記逃げ部は前記傾斜部に交差し、前記蓋片が閉鎖したとき、前記ロック片の前記当接部は前記傾斜部に一致し、前記被差込部を挟んで前記側面の前記開口部側は前記係止片の裏面側に位置し、前記側面の中央側は前記係止片の表面側に位置し、前記傾斜部の端面と、前記ロック片の端面が、互いに対向して係止され、引抜が困難となることを特徴とする包装用箱。
【請求項２】
前記被差込部が設けられた前記側面には、前記被差込部の近い部分に、前記被差込部に交差し前記係止片に近づく方向に延出する折線が設けられている請求項１記載の包装用箱。
【請求項３】
前記蓋片の前記折罫線に交差する一対の側縁部に各１個の前記係止片が設けられ、前記蓋片が設けられている前記側面に隣接する一対の前記側面に各々前記被差込部が設けられている請求項１記載の包装用箱。
【発明の詳細な説明】
【技術分野】
【０００１】
この発明は、蓋片を閉じて箱体の開口部を閉鎖して成る包装用箱に関する。
【背景技術】
【０００２】
従来、商品を収容して店頭に陳列する包装用箱には、１枚のブランクシートから一体的に打ち抜かれた箱体形成片を組み立てたものがあり、４枚の側面が連接して設けられて筒体に組み立てられ、側面の一方の端部には底部が形成され、他方の端部には蓋部が設けられ、開口を閉鎖し、底部や蓋部に、改ざんを防止する構造が設けられているものがある。
【０００３】
例えば、特許文献１に開示されている包装用箱は、４つの側面の筒体の開口部を閉鎖する蓋片と、蓋片の先端に折罫線を介して連接して設けられた差込片と、差込片の先端部に形成された突起片が設けられている。蓋片が設けられた側面に対向する側面には、突起片が差し込まれて係止する切断線が設けられ、差込片が切断線に係止されることにより、確実に改ざんを防止することができる。
【０００４】
特許文献２に開示されている包装箱は、蓋部である天面の先端部に取付片と幅広の差込片が設けられている。取付片を係止させるために左右の内フラップの前縁に所定形状の切り欠きから成る係止部が設けられている。そして、取付片を係止部に係止させ、差込片の後端縁を内フラップの下面に位置させることにより、確実に改ざんを防止することができる。
【先行技術文献】
【特許文献】
【０００５】
【特許文献１】特開２０１４−１４１２７６号公報
【特許文献２】特開２０１０−２１５２６３号公報
【発明の概要】
【発明が解決しようとする課題】
【０００６】
上記背景技術の場合、係止される差込片または差込片が大きいため、比較的大きい包装用箱に適したものであり、小さい包装用箱には不向きである。さらに、差込片または差込片を小さくすると係止強度が低くなったり、係止するときに変形したりするおそれがある。また、引用例１は側面に凹部と差込片が位置し、箱の背面に細字を印刷する際にデザインに影響を及ぼすものである。引用例２は、利用者が使用するときに開封しづらいという問題もある。
【０００７】
この発明は、上記背景技術の問題点に鑑みてなされたものであり、高い改ざん防止効果を有し、開封の痕跡を確実に残すことができ、確実に改ざんを防ぐ包装用箱を提供することを目的とする。
【課題を解決するための手段】
【０００８】
本発明は、一枚のブランクシートから一体的に打ち抜かれた箱体形成片から成り、前記箱体形成片には、互いに平行に連接され筒体に組み立てられる側面と、前記側面の一つに折罫線を介して連接され前記折罫線で曲げられて前記側面の筒体の開口部を閉鎖する蓋片と、前記蓋片の前記折罫線に交差する側縁部に折り曲げ線を介して連接された係止片と、前記係止片の先端部に一体に形成されたロック片と、前記蓋片が設けられている前記側面に隣接し前記係止片の近傍に位置する前記側面に形成された被差込部が設けられ、前記箱体形成片の組立状態で前記蓋片が前記折罫線で折り曲げられて閉鎖されるとき、前記係止片は前記折り曲げ線で折り曲げられて前記被差込部が設けられた前記側面に対して平行となり、前記折罫線に対して交差し、前記蓋片が前記折罫線で折り曲げられるにつれて、前記係止片は前記折罫線を中心軸として回転し、前記係止片の先端部は前記ロック片とともに前記被差込部に差し込まれ、前記ロック片が前記被差込部に係止されて引抜きが困難となる包装用箱である。
【０００９】
前記ロック片は、直線状の逃げ部と直線状の当接部で形成された三角形状の突起であり、前記被差込部は前記係止片の回転方向に交差する切断線で設けられ、前記切断線の一部には所定の角度で曲がる傾斜部が設けられ、前記係止片が前記ロック片とともに前記被差込部に差し込まれるとき、前記ロック片の前記逃げ部は前記傾斜部に交差し、前記蓋片が閉鎖したとき、前記ロック片の前記当接部は前記傾斜部に略平行に一致する。さらに、前記被差込部を挟んで前記側面の端部側は前記係止片の裏面側に位置し、前記側面の中央側は前記係止片の表面側に位置し、前記傾斜部の端面と、前記ロック片の端面が、互いに対向して係止され、引抜が困難となる。
【００１０】
前記被差込部が設けられた前記側面には、前記被差込部の近い部分に、前記被差込部に交差し前記係止片に近づく方向に延出する折線が設けられている。
【００１１】
前記蓋片の前記折罫線に交差する一対の側縁部に各１個の前記係止片が設けられ、前記蓋片が設けられている前記側面に隣接する一対の前記側面に各々前記被差込部が設けられている。
【００１２】
前記折罫線は、破断線で形成されてもよい。また、前記折り曲げ線は、破断線で形成されてもよい。
【発明の効果】
【００１３】
本発明の包装用箱は、高い改ざん防止効果を有し、開封の痕跡を確実に残すことができ、確実に改ざんを防ぐものである。側面の被差込部に係合するロック片は簡単な形状で強度が高く、ロック片が小形でも変形することがなく確実に係止されて改ざんを防止することができる。箱体が小さい場合にも高い改ざん防止効果を得ることができる。そして、利用者が使用するときは簡単に開封することができる。
【図面の簡単な説明】
【００１４】
【図１】この発明の第一実施形態の包装用箱の斜視図である。
【図２】この発明の第一実施形態の包装用箱の蓋片を閉鎖する前の状態を示す斜視図である。
【図３】この発明の第一実施形態の包装用箱の展開図である。
【図４】この発明の第一実施形態の包装用箱の折り畳み状態を示す正面図である。
【図５】この発明の第一実施形態の包装用箱の組立工程を示す概略図である。
【図６】この発明の第二実施形態の包装用箱の斜視図である。
【図７】この発明の第二実施形態の包装用箱の蓋片を閉鎖する前の状態を示す斜視図である。
【図８】この発明の第二実施形態の包装用箱の展開図である。
【発明を実施するための形態】
【００１５】
以下、この発明の実施形態について図面に基づいて説明する。図１〜図５はこの発明の第一実施形態を示すもので、この実施形態の包装用箱１０は、紙製等の一枚のブランクシートを打ち抜いて形成された箱体形成片１２を組み立てて設けられている。
【００１６】
図３は箱体形成片１２を表面から見た展開図であり、箱体形成片１２は、側面１４，１６，１８，２０が、互いに平行に連接して形成されている。側面１４，１６，１８，２０は、互いにほぼ同じ大きさの矩形であり、連接方向の長さよりも幅方向が長い長方形である。側面２０の側縁部には、包装用箱１０の組立状態で側面１４の裏面に糊付けされる糊付片２２が設けられている。そして、側面１４，１６，１８，２０、糊付片２２は、各々折罫線２４，２６，２８，３０で区切られている。
【００１７】
側面１４の、側面同士の連接方向に対して直角な方向の一対の端部には、矩形のフラップ３２が折罫線３４で区切られて各々設けられている。
【００１８】
側面１６の、側面１４の折罫線３４に隣接する一方の端部には、略正方形の蓋片３６が折罫線３８で区切られて設けられている。折罫線３８は破断線で形成され、折罫線３４に隣接する部分はミシン線３８ａであり、残りの部分はジッパー線３８ｂである。蓋片３６の、折罫線２４の延長線に位置する側縁部３６ａは、フラップ３２と接する部分がフラップ３２側に位置して僅かに蓋片３６の外側へ突出する摘み部４０が形成されている。
【００１９】
蓋片３６の折罫線３８と反対側の端部には、差込片４２が折罫線４４で区切られて設けられている。折罫線４４の、側縁部３６ａに隣接する部分には切込線４６が設けられている。側面１６の、折罫線３８と反対側の端部には、蓋片３６と同じ形状の蓋片４８が折罫線５０で区切られて設けられている。蓋片４８の折罫線５０と反対側の端部には、差込片５２が折罫線５４で区切られて設けられ、折罫線５４の、フラップ３２に近い部分には切込線５６が設けられている。
【００２０】
側面１８の、側面１６の折罫線３８に隣接する端部には、係止片５８が切離し線６０で区切られて設けられ、切離し線６０は切断線として形成されている。係止片５８の、折罫線２６の延長線に位置する側縁部は、折り曲げ線６４を介して蓋片３６に連続している。折り曲げ線６４は、折罫線２６の延長線上よりもわずかに係止片５８側に位置している。係止片５８の折り曲げ線６４と反対側の側縁部５８ａは、折罫線２８の延長線上よりも少し側面１８の内側に位置している。係止片５８の、切離し線６０と反対の先端部５８ｂは、蓋片３６の折罫線４４の延長線上に位置し、先端部５８ｂと側縁部５８ａで囲まれた角部にはロック片６６が形成されている。ロック片６６は、側縁部５８ａに所定角度で交差して連続する直線状の逃げ部６６ａと、逃げ部６６ａに交差する直線状の当接部６６ｂで形成された三角形状の突起である。ロック片６６の頂点は、先端部５８ｂとほぼ同じ高さになっている。先端部５８ｂの、ロック片６６の当接部６６ｂに連続する部分は外側に膨出する湾曲線を描きながら、徐々に係止片５８の中心に向かいロック片６６の当接部６６ｂの端部に達している。
【００２１】
側面１８は、中心よりも折罫線３８の延長線に近い部分に、係止片５８が差し込まれる被差込部６８が設けられている。被差込部６８は、切離し線６０に対して平行な直線の切断線であり、折罫線２６と折罫線２８の間を連続して側面１８を横切って設けられている。被差込部６８の、折罫線２８に連続する部分は、切離し線６０から離れる方向へ傾斜する直線で形成された傾斜部６８ａである。切離し線６０と被差込部６８の間には、切離し線６０と被差込部６８に対して直角に位置する折線７０が設けられ、折線７０は切離し線６０の中心よりも少し傾斜部６８ａに近い位置に設けられている。側面１８の、反対側の端部、つまり折罫線５０の延長線に近い部分にも同様に、被差込部６８と折線７０が、切離し線６０に対して平行な仮想線で線対称となる形状で設けられ、傾斜部６８ａは端部から離れる方向へ傾斜して設けられている。
【００２２】
側面１８の、側面１６の折罫線５０に隣接する他端部にも、側面１６の折罫線３８に隣接する端部と同様に、係止片５８が切離し線６０で区切られて設けられ、切離し線６０に対して平行な仮想線で線対称となる形状であり、蓋片４８に折り曲げ線７２を介して連続している。そして、側縁部５８ａと先端部５８ｂで囲まれた角部にはロック片６６が形成されている。ロック片６６は、側縁部５８ａに交差して連続する直線状の逃げ部６６ａと、逃げ部６６ａに交差する直線状の当接部６６ｂで形成された三角形状の突起である。
【００２３】
なお、側面１８に隣接する側面２０と糊付片２２の両端部には、他の部材は設けられていない。
【００２４】
次に、この実施形態の包装用箱１０の組立方法の一例について説明する。なお、ここでは図３が包装用箱１０の箱体形成片１２の表面を見たものであり、箱体形成片１２の表面が凸になる折り方を正折り、そして裏面が凸になる折り方を逆折りと称する。
【００２５】
まず、糊付片２２の表面に糊７４を塗布する。そして折罫線２８を正折りし、折罫線２４を正折りする。これにより、側面１４は糊７４により糊付片２２の表面に糊付けされ、図４に示す折り畳み状態となり、包装用箱１０はこの折り畳み状態で出荷される。
【００２６】
次に、収容物を収容し包装する工場等において、折罫線２４，２６，２８，３０を各々９０°に正折りして四角形の筒体にする。次に、箱体の蓋片４８が設けられている一方の端部を組み立て、底部を形成する。
【００２７】
まず、折り曲げ線７２で係止片５８を蓋片４８に対して約９０°に正折りする。これにより、係止片５８は側面１８の表面に対して平行となり、折罫線５０に対して交差する。そして折罫線３４でフラップ３２を９０°に正折りし、折罫線５０で蓋片４８を９０°に正折りする。このとき、係止片５８は側面１８の外側に位置させる。蓋片４８が折罫線５０で折り曲げられるにつれて、係止片５８は折罫線５０を中心軸として回転し、側面１８の外表面に沿って移動する。係止片５８が側面１８の被差込部６８に達すると、側縁部５８ａと、切離し線６０に接していた端部で囲まれた角部から被差込部６８に差し込み、係止片５８の側縁部５８ａが側面１８の裏面に出る。さらに折罫線５０を折っていくとロック片６６が被差込部６８から差し込まれ、ロック片６６には逃げ部６６ａが設けられているため、折罫線２８と傾斜部６８ａが交差する位置を通過可能となる。
【００２８】
蓋片４８が折罫線５０で約９０°に正折りされて閉じられた時、ロック片６６の当接部６６ｂが傾斜部６８ａに対して平行になる。傾斜部６８ａの、側面１８端部側の側縁部は係止片５８の裏面に位置し、側面１８中央側の側縁部は係止片５８の表面に位置し、傾斜部６８ａの厚み方向の端面と、ロック片６６の厚み方向の端面が、互いに対向して係止され、元に戻ることを防ぐ。側面１８の、被差込部６８と切離し線６０の間には折線７０が形成され、折線７０は、係止片５８が差し込まれるときに内側に僅かに逆折りされてくぼみ、差し込みやすいように設けられている。
【００２９】
そして、差込片５２を、折罫線５４で正折りすると同時に側面２０の裏面に差し込み係止する。これにより、包装用箱１０の底部が形成される。蓋片４８を引き起こす方向に力がかかると、ロック片６６の当接部６６ｂは被差込部６８の傾斜部６８ａに当接して外れることがなく、無理に引き抜くと係止片５８に損傷が生じる。このため、開封する方向に力が働いても痕跡を残すことなく開封することができない。また蓋片４８の切込線５６は、フラップ３２の側縁部に係止されるため、蓋片４８の、係止片５８と反対側の側縁部も開きにくいものとなる。
【００３０】
次に、組み立てられた側面１４，１６，１８，２０と底部から成る箱体の内側に収容物を入れ、底部と同様の工程で上面を形成する。先ず、折り曲げ線６４で係止片５８を蓋片３６に対して９０°に正折りし、折罫線３４でフラップ３２を９０°に正折りし、折罫線３８で蓋片３６を９０°に正折りする。そして、係止片５８を被差込部６８に係止し、蓋片３６の切込線４６はフラップ３２に係止し、上面を形成する。
【００３１】
底部と上面は開封することができないため、封止のための粘着テープや糊等の別部材が不要である。なお、上述の組み立て方法において、底面と上面のどちらを先に組み立ててもよく、図５に示すように、同時に組み立ててもよい。
【００３２】
包装用箱１０を開封する時は、蓋片３６の摘み部４０に指をかけて蓋片３６を引き起こし、折罫線３８を切断し、蓋片３６を上に持ち上げて開封する。
【００３３】
この実施形態の包装用箱１０によれば、簡単な構造で箱体形成片１２を組み立てるだけで確実に開口部を封止することができる。しかも、高い改ざん防止機能を持たせ、商品を改ざんから保護することができる。ロック片６６は、係止片５８の縁部に形成された三角形状の突起であり、強度が高く、ロック片６６が小形でも変形することがなく確実に係止されて改ざんを防止することができる。特に、箱体が小さい場合にも高い改ざん防止効果を得ることができる。ロック片６６を被差込部６８に差し込むときなどにも変形することがなく、簡単できれいに組み立てることができる。また、封止のための粘着テープや糊等の別部材が不要であり、組立工程が簡単で、コストが安価となる。ロック片６６は側面１８で覆われるため、外側から係合の様子を見ることができず、ねじる等して外すことができず、係合が確実である。側面１８は、組立状態で一対の係止片５８と面一に連続するため、印刷のデザインに影響を及ぼすことがない。開封する時は摘み部４０を押し上げて折罫線３８を切断し、蓋片３６を上に持ち上げて簡単に開封することができる。
【００３４】
次、にこの発明の第二実施形態について図６〜図８に基づいて説明する。なお、ここで、上記実施形態と同様の部材は同様の符号を付して説明を省略する。この実施形態の包装用箱７６は、紙製等の一枚のブランクシートを打ち抜いて形成された箱体形成片７８を組み立てて設けられている。
【００３５】
図８は、箱体形成片７８を表面から見た展開図であり、箱体形成片７８は、側面８０，８２，８４，８６が、互いに平行に連接して形成されている。側面８０，８２，８４，８６は、ほぼ同じ大きさの矩形であり、連接方向の長さよりも幅方向が長い長方形である。側面８０の側縁部には、包装用箱７６の組立状態で側面８６の裏面に糊付けされる糊付片８８が設けられている。そして、糊付片８８、側面８０，８２，８４，８６は、折罫線９０，９２，９４，９６で区切られている。
【００３６】
側面８０の、側面同士の連接方向に対して直角な方向の一対の端部には、半円形のフラップ９８が折罫線１００で区切られて設けられている。側面８０の、折罫線１００と反対側の端部には底部を形成する第１底蓋片１０２が折罫線１０４で区切られて設けられている。第１底蓋片１０２は、折罫線１０４を一辺とする三角状に形成され、折罫線９０に連続する辺は直線であり、折罫線９２に連続する辺は途中まで直線であり直線よりも先端部分は外側に膨出する曲線で設けられている。第１底蓋片１０２の、折罫線９２に連続する辺の直線と曲線の境界と、折罫線１０４との距離は、包装用箱１０の組立状態で底部の中心に達する長さとほぼ等しい。第１底蓋片１０２の、折罫線９２に連続する辺の直線部分には、略三角形の底部糊付片１０６が折罫線１０８で区切られて設けられている。
【００３７】
側面８２の、側面８０の折罫線１００に隣接する端部８２ａには、端部８２ａの中心付近から側面８４に近い部分に、係止片１１０が切離し線１１２で区切られて設けられている。係止片１１０は、折罫線９４の延長線上に位置する側縁部１１０ａと、端部８２ａの中心付近に位置し側縁部１１０ａに対して平行で長さが側縁部１１０ａより短い側縁部１１０ｂと、側縁部１１０ａと１１０ｂの先端同士を結ぶ先端部１１０ｃと、切離し線１１２とで囲まれた変形した矩形である。側縁部１１０ｂと先端部１１０ｃで囲まれた角部にはロック片１１４が形成されている。ロック片１１４は、側縁部１１０ｂに所定角度で交差して連続する直線状の逃げ部１１４ａと、逃げ部１１４ａに交差する直線状の当接部１１４ｂで形成された三角形状の突起である。ロック片１１４の頂点は、傾斜する先端部１１０ｃの延長線上とほぼ同じ高さになっている。先端部１１０ｃの、ロック片１１４の当接部１１４ｂに連続する部分は外側に膨出する湾曲線を描きながら、徐々に係止片１１０の中心に向いロック片１１４の当接部１１４ｂの端部に達している。切離し線１１２は切断線として形成されている。
【００３８】
側面８２は、中心よりも端部８２ａに近い部分に、係止片１１０が差し込まれる被差込部１１８が設けられている。被差込部１１８は、端部８２ａに対して平行な直線の切断線であり、折罫線９４に連続し折罫線９２から離間して設けられ、被差込部１１８の、折罫線９４と反対側の端部は、端部８２ａから離れる方向へ傾斜する直線で形成された傾斜部１１８ａである。切離し線１１２と被差込部１１８の間には、切離し線１１２と被差込部１１８に対して直角に位置する折線１２０が設けられている。
【００３９】
側面８２の、端部８２ａと反対側の端部には、底部を形成する台形状の底フラップ１２２が折罫線１２４で区切られて設けられている。
【００４０】
側面８４の、側面８２の端部８２ａに隣接する端部には、略正方形の蓋片１２６が折罫線１２８で区切られて設けられている。蓋片１２６の、折罫線１２８と反対側の端部１２６ａの中心には、わずかに外側に円弧状に膨出する摘み部１３０が設けられている。蓋片１２６の、折罫線９４の延長線に位置する側縁部は、折り曲げ線である破断線１３２を介して係止片１１０の側縁部１１０ａに連続している。破断線１３２は、ジッパー線で形成されている。側面８４の、折罫線１２８と反対側の端部には、底部を形成する第２底蓋片１３４が折罫線１３６で区切られて設けられている。第２底蓋片１３４は、第１底蓋片１０２と同形状であり、折罫線１３６を一辺とする三角状に形成され、折罫線９４に連続する辺は直線であり、折罫線９６に連続する辺は途中まで直線であり直線よりも先端部分は外側に膨出する曲線で設けられている。第２底蓋片１３４の、折罫線９６に連続する辺の直線と曲線の境界と、折罫線１３６との距離は、包装用箱７６の組立状態で底部の中心に達する長さとほぼ等しい。第２底蓋片１３４の、折罫線９６に連続する辺の直線部分には、略三角形の底部糊付片１３８が折罫線１４０で区切られて設けられている。
【００４１】
側面８６の、側面８４の折罫線１２８に隣接する端部８６ａには、端部８６ａの中心付近から側面８４に近い部分に、係止片１１０の線対称の形状である係止片１４２が切離し線１４４で区切られて設けられている。係止片１４２は、折罫線９６の延長線上に位置する側縁部１４２ａと、端部８６ａの中心付近に位置し側縁部１４２ａに対して平行で長さが側縁部１４２ａより短い側縁部１４２ｂと、側縁部１４２ａと側縁部１４２ｂの先端同士を結ぶ先端部１４２ｃと、切離し線１４４とで囲まれた変形した矩形である。側縁部１４２ａは、折り曲げ線である破断線１４３を介して蓋片１２６に連続し、破断線１４３はジッパー線で形成されている。側縁部１４２ｂと先端部１４２ｃで囲まれた角部にはロック片１４６が形成されている。ロック片１４６は、側縁部１４２ｂに交差して連続する直線状の逃げ部１４６ａと、逃げ部１４６ａに交差する直線状の当接部１４６ｂで形成された三角形状の突起である。ロック片１４６の頂点は、傾斜する先端部１４２ｃの延長線上とほぼ同じ高さになっている。先端部１４２ｃの、ロック片１４６の当接部１４６ｂに連続する部分は外側に膨出する湾曲線を描きながら、徐々に係止片１４２の中心に向いロック片１４６の当接部１４６ｂの端部に達している。切離し線１４４は切断線として形成されている。
【００４２】
側面８６は、中心よりも端部８６ａに近い部分に、係止片１４２が差し込まれる被差込部１５０が設けられている。被差込部１５０は、端部８６ａに対して平行な直線の切断線であり、折罫線９６に連続し折罫線９６と反対側の側縁部から離間して設けられ、被差込部１５０の、折罫線９６と反対側の端部は、端部８６ａから離れる方向へ傾斜する直線で形成された傾斜部１５０ａである。切離し線１４４と被差込部１５０の間には、切離し線１４４と被差込部１５０に対して直角に位置する折線１５２が設けられている。
【００４３】
側面８６の、端部８６ａと反対側の端部には、底部を形成する台形状の底フラップ１５４が折罫線１５６で区切られて設けられている。
【００４４】
次に、この実施形態の包装用箱７６の組立方法の一例について説明する。なお、ここでは図８が箱体形成片７８の表面を見たものであり、箱体形成片７８の表面が凸になる折り方を正折り、そして裏面が凸になる折り方を逆折りと称する。
【００４５】
まず、折罫線１０４，１２４，１３６，１５６を正折りし、折罫線１０８，１４０を逆折りし、底部糊付片１０６，１３８の裏面に糊１５８，１６０を塗布する。そして、糊付片８８の表面に糊１６２を塗布する。折罫線９２を正折りし、折罫線９６を正折りする。これにより糊付片８８の表面は糊１６２により側面８６の裏面に糊付けされ、底部糊付片１０６の裏面は糊１５８により底フラップ１２２の表面に、底部糊付片１３８の裏面は糊１６０により底フラップ１５４の表面に糊付けされる。これにより箱体形成片７８による折り畳み状態となり、包装用箱７６はこの折り畳み状態で出荷される。
【００４６】
次に収容物を収容し包装する工場等において、折罫線９０，９２，９４，９６を各々９０°に正折りして四角形の箱体にする。この時、第１底蓋片１０２の底部糊付片１０６は底フラップ１２２に、第２底蓋片１３４の底部糊付片１３８は底フラップ１５４に糊付けされているため、二つ折りされていた折罫線１０４，１２４，１３６，１５６は自動的に引き起こされてほぼ９０°に開き、底部が形成される。第１底蓋片１０２と第２底蓋片１３４の外側に膨出する曲線の部分は、組み立てる途中は互いに当接し弾性変形しながら乗り越えて、組み立てた時には弾性変形が復元して互いにロックされ、箱体の底部の形状を保つ。
【００４７】
次に、組み立てられた側面８０，８２，８４，８６と底部から成る箱体の内側に収容物を入れ、上面を形成する。まず、破断線１３２，１４３で係止片１１０，１４２を蓋片１２６に対して約９０°に正折りする。これにより、係止片１１０，１４２は側面８２，８６の表面に対して各々平行となり、折罫線１２８に対して交差する。そして折罫線１００でフラップ９８を９０°に正折りし、折罫線１２８で蓋片１２６を９０°に正折りする。蓋片１２６が折罫線１２８で折り曲げられるにつれて係止片１１０，１４２は折罫線１２８を中心軸として回転し、側面８２，８６の表面に沿って各々移動する。側面８２，８６の被差込部１１８，１５０に達すると、側縁部１１０ｂ，１４２ｂと、切離し線１１２，１４４に接していた端部で囲まれた角部から被差込部１１８，１５０に差し込まれ、側面８２，８６の裏面に出る。さらに折罫線１２８を折っていくとロック片１１４，１４６が被差込部１１８，１５０から差し込まれ、ロック片１１４，１４６には逃げ部１１４ａ，１４６ａが設けられているため被差込部１１８，１５０の傾斜部１１８ａ１５０ａの先端を通過可能となる。蓋片１２６が折罫線１２８で約９０°に正折りされて閉じられた時、ロック片１１４，１４６の当接部１１４ｂ，１４６ｂが傾斜部１１８ａ，傾斜部１５０ａに対して各々平行になる。傾斜部１１８ａ，１５０ａの、端部８２ａ，８６ａ側の側縁部は係止片１１０，１４２の裏面に各々位置し、傾斜部１１８ａ，１５０ａの、反対側の側縁部は係止片１１０，１４２の表面に各々位置し、傾斜部１１８ａ，１５０ａの厚み方向の端面と、ロック片１１４，１４６厚み方向の端面が、互いに対向して係止され、元に戻ることを防ぐ。被差込部１１８，１５０と切離し線１１２，１４４の間には折線１２０，１５２が各々設けられ、係止片１１０，１４２が差し込まれるときに内側に僅かに逆折りされてくぼみ、差し込みやすい。これにより、蓋片１２６は係止片１１０，１４２により端部に閉じて係止され、箱体形成片７８の上面が形成される。蓋片１２６を引き起こす方向に力がかかると、ロック片１１４，１４６の当接部１１４ｂ，１４６ｂは被差込部１１８，１５０の傾斜部１１８ａ，１５０ａに各々当接して外れることがなく、無理に引き抜くと係止片１１０，１４２に損傷が生じる。このため、開封する方向に力が働いても痕跡を残すことなく開封することができない。上面は開封することができないため、封止のための粘着テープや糊等の別部材が不要である。
【００４８】
包装用箱７６を開封する時は、蓋片１２６の摘み部１３０に指をかけて蓋片１２６を引き起こし、破断線１３２，１４３を切断し、蓋片１２６を上に持ち上げて開封する。
【００４９】
この実施形態の包装用箱７６によれば、上記実施の形態と同様の効果を有すものであり、蓋片１２６の両側に係止片１１０，１４２が各々連続し、各々被差込部１１８，１５０に係止されるため、より高い改ざん防止効果がある。係止片１１０，１４２は、側面８２，８６の約半分の幅を有するもので、側面８２，８６に対して比較的小形であり、大きい収容物を入れる大きい包装用箱７６にコンパクトな係止片１１０，１４２を設けて改ざん防止効果を得ることができる。底部がワンタッチに組み立てられ、組立が簡単である。
【００５０】
なお、この発明は上記実施形態に限定されるものではなく、各側面の大きさや形状、底部の構造、フラップの形状や数等、自由に変更可能である。蓋片はどの側面に設けられてもよく、蓋片に連続する係止片が対向する側面に被差込部が設けられていればよい。ロック片と被差込部の形状は上記以外でもよく、係止片が被差込部に差し込まれたときに確実に係止されるものであれば良い。また、側面の一部が大きく形成されたものでもよく、組み立てられた時に包装用箱の外側へ突出する表示片となるものでもよい。蓋片と係止片の間や、蓋片と側面の間に開封用の破断線が設けられてなくてもよく、側面の途中に開封口が設けられているなど、開封方法は自由に変更可能である。素材は、紙以外に自由に変更可能でありＰＰなどの樹脂素材でもよい。
【符号の説明】
【００５１】
１０，７６  包装用箱
１２，７８  箱体形成片
１４，１６，１８，２０，８０，８２，８４，８６  側面
３６，４８，１２６  蓋片
３８，１２８  折罫線
５８，１１０，１４２  係止片
５８ｂ，１１０ｃ，１４２ｃ  先端部
６４  折り曲げ線
６６，１１４，１４６  ロック片
６６ａ，１１４ａ，１４６ａ  逃げ部
６６ｂ，１１４ｂ，１４６ｂ  当接部
６８，１１８，１５０  被差込部
６８ａ，１１８ａ，１５０ａ  傾斜部
７０，１２０，１５２  折線
１３２，１４３  破断線
【図１】
0006522364.tif 000002
【図２】
0006522364.tif 000003
【図３】
0006522364.tif 000004
【図４】
0006522364.tif 000005
【図５】
0006522364.tif 000006
【図６】
0006522364.tif 000007
【図７】
0006522364.tif 000008
【図８】
0006522364.tif 000009